(57)【要約】【課題】深いピットでも作業者が安全な体勢で保守用停止スイッチを操作できるエレベータのピット保守用停止スイッチ装置を得る。【解決手段】最下階の乗場ドア近傍の昇降路内壁に立設固定され、ピット床に向かって延びる保守停止スイッチ案内レールと、保守停止スイッチ案内レールに沿って上下方向に移動できるピット保守用停止スイッチと、ピット保守用停止スイッチを保守停止スイッチ案内レールの上部位置に固定する保守停止スイッチ固定装置と、ピット保守用停止スイッチに連結され、ピット床より操作されてピット保守用停止スイッチを引き下ろす保守停止スイッチ昇降具と、ピット保守用停止スイッチの固定を解除した時に動作し、保守モードに切り替える保守モード切替スイッチと、ピット保守用停止スイッチと昇降路壁に固定された中継箱とを連結する保守停止スイッチ用移動ケーブルとを備える。【選択図】図１
2014223975.tif 000002
【特許請求の範囲】
【請求項１】
最下階の乗場ドア近傍の昇降路内壁に立設固定され、ピット床に向かって延長する保守停止スイッチ案内レールと、
前記保守停止スイッチ案内レールに保持され、保守停止スイッチ案内レールに沿って昇降路内を上下方向に移動できるピット保守用停止スイッチと、
前記ピット保守用停止スイッチを前記保守停止スイッチ案内レールの上部位置に固定しておく保守停止スイッチ固定装置と、
前記ピット保守用停止スイッチに連結され、ピット床より操作されて前記ピット保守用停止スイッチを引き下ろすための保守停止スイッチ昇降具と、
前記保守停止スイッチ固定装置による前記ピット保守用停止スイッチの固定を解除した時に動作して、エレベータを保守モードに切り替える保守モード切替スイッチと、
前記ピット保守用停止スイッチと昇降路壁に固定された中継箱とを連結する保守停止スイッチ用移動ケーブルと、
を備えたことを特徴とするエレベータのピット保守用停止スイッチ装置。
【請求項２】
最下階の乗場ドア近傍の昇降路内壁に固定された保守停止スイッチ固定板と、
前記保守停止スイッチ固定板の下部からピット床に向かう最下階の乗場ドア近傍の昇降路内壁に立設固定された保守停止スイッチ案内レールと、
前記保守停止スイッチ案内レールに保持され、保守停止スイッチ案内レールに沿って昇降路内を上下方向に移動できるピット保守用停止スイッチと、
前記保守停止スイッチ固定板に設けられ、前記ピット保守用停止スイッチを前記保守停止スイッチ案内レールの上部位置に固定しておく保守停止スイッチ固定装置と、
前記保守停止スイッチ固定板と前記ピット保守用停止スイッチとの間を連結し、かつ垂れ下がった中央部がピット床から手で届く位置に在り、ピット床より操作されて前記ピット保守用停止スイッチを引き下ろすための保守停止スイッチ昇降具と、
前記保守停止スイッチ固定板に設けられ、前記保守停止スイッチ固定装置による前記ピット保守用停止スイッチの固定を解除した時に動作して、エレベータを保守モードに切り替える保守モード切替スイッチと、
前記ピット保守用停止スイッチと昇降路壁に固定された中継箱とを連結する保守停止スイッチ用移動ケーブルと、
を備えたことを特徴とするエレベータのピット保守用停止スイッチ装置。
【発明の詳細な説明】
【技術分野】
【０００１】
この発明は、エレベータのピット保守用停止スイッチ装置に関するものである。
【背景技術】
【０００２】
従来、エレベータのピット保守用停止スイッチは、ピット深さに関係なく乗場からピットに入る時に手の届く位置に設置されている。例えば、図２に示すように、従来のピット保守用停止スイッチ１３は、最下階の昇降路内壁に立設されたピット昇降用梯子９の近傍や乗場敷居１２の横付近に取り付けられている。ピット内作業時は、最下階の乗場ドア１１を全開し、ピット保守用停止スイッチ１３を遮断し、ピット昇降用梯子９でピット床１０に降りてから、作業に合わせてピット保守用停止スイッチ１３を投入する。
【０００３】
また、従来技術として、保守モード切換スイッチとリセットスイッチとから構成され、保守モード切換スイッチは、ピットへの立ち入りを検出すると、保守モードに切り換えて、その状態を保持するエレベータの保守モード切換スイッチが知られている（例えば、特許文献１参照）
【先行技術文献】
【特許文献】
【０００４】
【特許文献１】国際公開第０１／８１２２５号
【発明の概要】
【発明が解決しようとする課題】
【０００５】
図２に示す従来のエレベータのピット保守用停止スイッチ１３では、ピットの深さが深いと、ピット床１０からピット保守用停止スイッチ１３に手が届かず、操作ができないため、ピット昇降用梯子９に乗って、不安定な体勢でピット保守用停止スイッチ１３を操作しなければならなかった。また、ピット内作業中、緊急を要する時でも咄嗟にピット保守用停止スイッチ１３を操作することができない。したがって、メンテナンスコンピュータで保守モードにする操作をしなければならなかった。
また、特許文献１記載のものでも、ピット内に入ってしまうと緊急時操作ができないため、メンテナンスコンピュータで保守モードにする操作をしなければならなかった。
【０００６】
この発明は、上述のような課題を解決するためになされたもので、エレベータのピット保守点検時、深いピットでも作業者が安全な体勢で保守用停止スイッチを操作することができるエレベータのピット保守用停止スイッチ装置を提供するものである。
【課題を解決するための手段】
【０００７】
この発明に係るエレベータのピット保守用停止スイッチ装置においては、最下階の乗場ドア近傍の昇降路内壁に立設固定され、ピット床に向かって延長する保守停止スイッチ案内レールと、保守停止スイッチ案内レールに保持され、保守停止スイッチ案内レールに沿って昇降路内を上下方向に移動できるピット保守用停止スイッチと、ピット保守用停止スイッチを保守停止スイッチ案内レールの上部位置に固定しておく保守停止スイッチ固定装置と、ピット保守用停止スイッチに連結され、ピット床より操作されてピット保守用停止スイッチを引き下ろすための保守停止スイッチ昇降具と、保守停止スイッチ固定装置によるピット保守用停止スイッチの固定を解除した時に動作して、エレベータを保守モードに切り替える保守モード切替スイッチと、ピット保守用停止スイッチと昇降路壁に固定された中継箱とを連結する保守停止スイッチ用移動ケーブルとを備えたものである。
【０００８】
また、最下階の乗場ドア近傍の昇降路内壁に固定された保守停止スイッチ固定板と、保守停止スイッチ固定板の下部からピット床に向かう最下階の乗場ドア近傍の昇降路内壁に立設固定された保守停止スイッチ案内レールと、保守停止スイッチ案内レールに保持され、保守停止スイッチ案内レールに沿って昇降路内を上下方向に移動できるピット保守用停止スイッチと、保守停止スイッチ固定板に設けられ、ピット保守用停止スイッチを保守停止スイッチ案内レールの上部位置に固定しておく保守停止スイッチ固定装置と、保守停止スイッチ固定板とピット保守用停止スイッチとの間を連結し、かつ垂れ下がった中央部がピット床から手で届く位置に在り、ピット床より操作されてピット保守用停止スイッチを引き下ろすための保守停止スイッチ昇降具と、保守停止スイッチ固定板に設けられ、保守停止スイッチ固定装置によるピット保守用停止スイッチの固定を解除した時に動作して、エレベータを保守モードに切り替える保守モード切替スイッチと、ピット保守用停止スイッチと昇降路壁に固定された中継箱とを連結する保守停止スイッチ用移動ケーブルとを備えたものである。
【発明の効果】
【０００９】
この発明によれば、作業員がピット昇降用梯子でピット床上に降りた位置にあっても、ピット保守用停止スイッチが昇降路の下方に下りた状態にあるので、作業員の手が届き、安定した体勢で作業に応じてピット保守用停止スイッチを投入し、操作することができる。これにより、深いピット床にいても無理な体勢をすることなく安全に行うことができる。また、ピット内作業中、緊急を要する時でも咄嗟にピット保守用停止スイッチを操作することができる。
【図面の簡単な説明】
【００１０】
【図１】この発明の実施例１におけるエレベータのピット保守用停止スイッチ装置の構成を示す側面図である。
【図２】従来のエレベータのピット保守用停止スイッチ装置の構成を示す側面図である。
【発明を実施するための形態】
【００１１】
実施例１.
図１はこの発明の実施例１におけるエレベータのピット保守用停止スイッチ装置の構成を示す側面図である。
【００１２】
図１において、エレベータのピット保守用停止スイッチ装置は、最下階の昇降路内壁に立設されたピット昇降用梯子９の近傍に設けられている。ピット保守用停止スイッチ装置は、次の各要素から構成されている。すなわち、最下階の乗場ドア１１の近傍の昇降路内壁に固定された保守停止スイッチ固定板１と、この保守停止スイッチ固定板１の一方側の下端部からピット床１０に向かって延長するように最下階の乗場ドア１１の近傍の昇降路内壁に立設固定された保守停止スイッチ案内レール２と、この保守停止スイッチ案内レール２間に跨って保持され、保守停止スイッチ案内レール２に沿って昇降路内を上下方向に移動できるようにされたピット保守用停止スイッチ３と、保守停止スイッチ固定板１の他方側に設けられ、ピット保守用停止スイッチ３を保守停止スイッチ案内レール２の上端部位置に固定しておく保守停止スイッチ固定装置４と、保守停止スイッチ固定板１の他方側の下端部とピット保守用停止スイッチ３との間を連結し、かつ垂れ下がった中央部がピット床１０から手で届く位置に在る鎖、ロープ等から成るものであり、保守停止スイッチ固定装置４によるピット保守用停止スイッチ３の固定を解除した時、ピット床１０より手動操作されてピット保守用停止スイッチ３を下方に引き下ろすための保守停止スイッチ昇降具５と、ピット保守用停止スイッチ３の直上部に位置するように保守停止スイッチ固定板１の一方側の上端部に設けられ、保守停止スイッチ固定装置４によるピット保守用停止スイッチ３の固定を解除した時、この固定解除を捉えることにより動作してエレベータを保守モードに切り替える保守モード切替スイッチ６と、ピット保守用停止スイッチ３と昇降路壁に固定された中継箱７とを連結する保守停止スイッチ用移動ケーブル８とから構成されている。すなわち、最下階の乗場ドア１１の近傍の昇降路内壁に固定された保守停止スイッチ固定板１の一方側の上部に保守モード切替スイッチ６が、その下部にピット保守用停止スイッチ３が配置され、保守停止スイッチ固定板１の他方側の上部に保守停止スイッチ固定装置４が、その下部に保守停止スイッチ昇降具５の一端部が配置されている。また、本実施例では、保守停止スイッチ昇降具５のピット保守用停止スイッチ３との連結は、ピット保守用停止スイッチ箱体３ａとの間で行っている。なお、図中、１２は最下階の乗場敷居である。
【００１３】
次に、エレベータのピット保守用停止スイッチ装置の動作について説明する。
ピット内作業時で、ピット保守用停止スイッチ３が保守停止スイッチ案内レール２の上端部位置にある時、最下階の乗場ドア１１を全開し、ピット保守用停止スイッチ３を遮断し、保守停止スイッチ固定装置４の固定を解除し、ピット昇降用梯子９でピット床１０に降りてから、保守停止スイッチ昇降具５を下方に引っ張って、ピット保守用停止スイッチ３を下方に下ろす（図１の仮想線参照）。この時、保守停止スイッチ固定装置４の固定解除を捉えて、ピット保守用停止スイッチ３の直上部の保守停止スイッチ固定板１の一方側に設けられた保守モード切替スイッチ６が作動し、エレベータが保守モードとなる。したがって、作業員がピット昇降用梯子９でピット床１０上に降りた位置にあっても、図１の仮想線で示すように、ピット保守用停止スイッチ３が昇降路の下方に下りた状態にあるので、作業員の手が届き、安定した体勢で作業に応じてピット保守用停止スイッチ１３を投入し、操作することができる。これにより、ピット保守用停止スイッチ３の操作が、最下階乗場にいても、深いピット床１０にいても無理な体勢をすることなく安全に行うことができる。また、ピット内作業中、緊急を要する時でも咄嗟にピット保守用停止スイッチ３を操作することができる。
【符号の説明】
【００１４】
１  保守停止スイッチ固定板、  ２  保守停止スイッチ案内レール、  ３  ピット保守用停止スイッチ、  ３ａ  ピット保守用停止スイッチ箱体、  ４  保守停止スイッチ固定装置、  ５  保守停止スイッチ昇降具（鎖）、  ６  保守モード切替スイッチ、  ７  中継箱、  ８  保守停止スイッチ用移動ケーブル、  ９  ピット昇降用梯子、  １０  ピット床、  １１  最下階の乗場ドア、１２  最下階の乗場敷居、  １３  従来のピット保守用停止スイッチ。
【図１】
2014223975.tif 000003
【図２】
2014223975.tif 000004